(57)【要約】【課題】カメラのレンズ鏡筒部まわりを覆う部分の外観部のデザイン上の制限が少なく、カメラの外装部の金属化が可能であるカメラを提供する。【解決手段】本カメラにおいては、前カバー１よりレンズ鏡筒ユニットの先端部が突出する位置に配置される。そのレンズ鏡筒ユニットは、前カバー１に結合された前カバー円筒部材２１で覆われ、さらに、その前カバー円筒部材２１の前方の露出部分は、着脱可能な（接着前）金属製の円筒部材である外装円筒部材２２によって覆われる。外装円筒部材２２は、前カバー側係止爪１ｂにより位置決めされ、固定されるがその係止爪部１ｂまわりには、可撓性を有するＣ形状の係止部カバー２３を撓ませながら装着し、ビス３３により固着される。【選択図】　　図２
2004012532.tif 000002
【特許請求の範囲】
【請求項１】
撮影レンズ鏡筒を有するカメラにおいて、
上記撮影レンズ鏡筒の鏡筒外周を覆う第１の部材と、
上記第１の部材の外周に嵌合し、且つ、カメラの外形の一部を覆う第２の部材と、
金属材料よりなり、上記第１の部材の外周に嵌合して上記第１の部材の外周を覆う第３の部材と、
を有することを特徴とするカメラ。
【請求項２】
上記第１の部材は、上記第２の部材に締結結合されることを特徴とする請求項１記載のカメラ。
【請求項３】
上記第１の部材、および、第２の部材は、合成樹脂材料よりなることを特徴とする請求項１、または、２記載のカメラ。
【請求項４】
カメラの外装部が撮影光軸に対して前後方向から組み付けられるカメラにおいて、
レンズ鏡筒部を覆う円筒形状を有する第１の部材と、
カメラ本体部の前側を覆う略箱形状の第２の部材と、
上記第１の部材に嵌合する金属材料からなる第３の部材と、
を有し、上記第１の部材と、上記第２の部材と、上記第３の部材とを結合することによりカメラ前側外装部を構成することを特徴とするカメラ。
【請求項５】
上記第１の部材は、円筒部の端部にフランジ形状締結結合部を有し、上記フランジ形状締結結合部にて上記第２の部材と締結結合されることを特徴とする請求項４記載のカメラ。
【請求項６】
略箱形状の第２の部材には、ストロボ収納部が一体に構成されていることを特徴とする請求項４記載のカメラ。
【請求項７】
上記ストロボ収納部近傍で上記第１の部材と上記第２の部材は、締結結合されることを特徴とする請求項４記載のカメラ。
【発明の詳細な説明】
【０００１】
【発明の属する技術分野】
本発明は、カメラにおける撮影レンズ鏡筒部まわりの外装構造に関する。
【０００２】
【従来の技術】
従来、カメラにおけるカメラボディ支持構造に関して提案された特開平７−２０５４９号公報に開示のものは、Ｂプレートユニットに後面側から前板ユニット，シャッタユニット，本体ユニットを取り付け、前面側からレンズ鏡筒ユニットを取り付けてカメラボディを構成する構造を有するカメラに関するものである。上記カメラにおいては、上記カメラボディに対して外装部材としての後蓋が後面側から装着され、さらに、前面側からカバーユニットが装着される。
【０００３】
【発明が解決しようとする課題】
しかし、上述した特開平７−２０５４９号公報に開示のカメラにおける上記カバーユニットの鏡筒カバー部には、成形時の型の抜きテーパを付ける必要があるが、レンズ鏡筒ユニットの長さが長い場合、上記カバーユニットの鏡筒カバー部の根元部が太くなり、デザイン的な制限が生じる。
【０００４】
そこで、抜きテーパー付きの鏡筒カバー部に金属円筒部材を嵌入させる外観構造を採用しようとすると、上記金属円筒部材の先端で隙間が生じ、取り付けが困難であったり、また、上記金属円筒部材の径が大きくなってしまうといった問題が生じる。なお、抜きテーパーの無い鏡筒カバー部を製作することも不可能ではないが、金型が複雑になるとともに、表面にパーティングラインができるので好ましくない。
【０００５】
本発明は、上述の問題点を解決するためになされたものであり、カメラのレンズ鏡筒部まわりを覆う部分の外観部のデザイン上の制限が少なく、外装部の金属化も可能であるカメラを提供することを目的とする。
【０００６】
【課題を解決するための手段】
本発明の請求項１記載のカメラは、撮影レンズ鏡筒を有するカメラにおいて、上記撮影レンズ鏡筒の鏡筒外周を覆う第１の部材と、上記第１の部材の外周に嵌合し、且つ、カメラの外形の一部を覆う第２の部材と、金属材料よりなり、上記第１の部材の外周に嵌合して上記第１の部材の外周を覆う第３の部材とを有しており、上記撮影レンズ鏡筒を覆い、かつ、上記第２の部材に嵌合して取り付けられる上記第１の部材の外周を上記第３の部材により覆う。
【０００７】
本発明の請求項２記載のカメラは、請求項１記載のカメラにおいて、上記第１の部材は、上記第２の部材に締結結合される。
【０００８】
本発明の請求項３記載のカメラは、請求項１、または、２記載のカメラにおいて、上記第１の部材、および、上記第２の部材は、合成樹脂材料よりなる。
【０００９】
本発明の請求項４記載のカメラは、カメラの外装部が撮影光軸に対して前後方向から締結結合されるカメラにおいて、
レンズ鏡筒部を覆う円筒形状を有する第１の部材と、カメラ本体部の前側を覆う略箱形状の第２の部材と、上記第１の部材に（略）嵌合する金属材料からなる第３の部材とを有し、上記第１の部材と、上記第２の部材と、上記第３の部材とを結合することによりカメラ前側外装部を構成する。
【００１０】
本発明の請求項５記載のカメラは、請求項４記載のカメラにおいて、上記第１の部材は、円筒部の端部にフランジ形状締結結合部を有し、上記フランジ形状締結結合部にて上記第２の部材と結合される。
【００１１】
本発明の請求項６記載のカメラは、請求項４記載のカメラにおいて、略箱形状の第２の部材には、ストロボ収納部が一体に構成されている。
【００１２】
本発明の請求項７記載のカメラは、請求項４記載のカメラにおいて、上記ストロボ収納部近傍で上記第１の部材と上記第２の部材は、締結結合される。
【００１３】
【発明の実施の形態】
以下、本発明の実施の形態を図に基づいて説明する。
図１は、本発明の一実装形態のカメラの外観を示す斜視図である。図２は、上記カメラの特にレンズ鏡筒ユニットまわりの外装部の分解斜視図である。図３は、上記カメラのレンズ鏡筒ユニットまわりの縦断面図である。図４は、上記カメラのレンズ鏡筒ユニットまわりの水平断面図である。なお、以下の説明において、カメラの被写体側を前方とし、結像側を後方とする。
【００１４】
本実装形態のカメラの外装部には、図１に示すようにカメラ本体ユニット１１（図３）を覆う部材であって、第２の部材である前カバー１、および、後カバー２と、第３の部材である金属製の外装円筒部材２２と、カバー部材である係止部カバー２３とが配されている。
【００１５】
上記前カバー１には、その上面部にレリーズ操作釦３とポップアップ可能なストロボ発光部６と、パワースイッチ操作釦３とが配置される。また、その前面部には、突出した状態で外装円筒部材２２と係止部カバー２３が装着されている。
【００１６】
上記後カバー２には、ズーム操作レバー５が配置されている。上記前カバー１と後カバー２３とは、カメラ本体ユニット１１に対して前後方向から当て付けて組み付けられる。
【００１７】
上記外装円筒部材２２の内周部は、第１の部材である前カバー円筒部材２１に嵌入し、固定される。なお、前カバー円筒部材２１には、後述するように撮影レンズ１４を保持するレンズ鏡筒ユニット１３（図３）の外周部が挿入される。
【００１８】
次に、上記レンズ鏡筒ユニットを覆うカメラ前側外装部の構造について図２〜４を用いて説明する。
カメラ前側外装部は、合成樹脂材料で形成される前カバー１と、同じく合成樹脂材料で形成される前カバー円筒部材２１と、金属板のプレス成形部材である外装円筒部材２２と、合成樹脂材料で形成されるカバー部材としての係止部カバー２３とからなる。
【００１９】
上記前カバー１は、略箱型形状の外装部材であり、中央部には、前方に突出する突出円環部１ａが設けられる。また、上部中央の前方突出部１ｇにストロボ発光部６が収納されるストロボ収納部１ｄが配置される。なお、上記突出円環部１ａには、左右部に弾性変形可能な係止部である爪部１ｂが設けられる。
【００２０】
上記前カバー円筒部材２１は、図２，３に示すようにストレート円筒形状の枠部材であり、その円筒部後端部にビス挿通穴２１ｅを有するフランジ形状結合部としてのフランジ部２１ｄと、円筒部上部にビス穴２１ｆとが配される。この前カバー円筒部材２１は、前カバー１の突出円環部１ａに挿通させた状態でビスにより前カバー１に固着される。すなわち、ビス３１をフランジ部２１ｄのビス挿通穴２１ｅを挿通させて前カバー１のビス穴１ｅに螺着し、かつ、ビス３２を前カバー１のビス挿通穴１ｆを挿通させて前カバー円筒部材２１のビス穴２１ｆに螺着することにより、前カバー１に締結結合され、固着される。その固着状態では前カバー円筒部材２１は、その前方部が前カバー１の突出円環部１ａよりさらに前方に突出した状態で取り付けられる。
【００２１】
前カバー１に固着された前カバー円筒部材２１の内周部２１ａには、図３に示すようにカメラ本体ユニット１１に本体プレート１２を介して固着されるレンズ鏡筒ユニット１３の外周固定枠部が挿入される。
【００２２】
上記外装円筒部材２２は、ストレート円筒形状の金属製の外装部材であって、先端部に内方フランジ部２２ｃと、後方側に前カバー１の前方突出部１ｇを逃げるための切り欠き部２２ｇと、突出円環部１ａのビス穴１ｃまわりを逃げるための切り欠き２２ｈと、後方側左右位置に前カバー１の爪部１ｂに係止される２つの被係止穴部２２ｂと、側面位置にエンボス加工された凸状表示部２２ｄとが設けられる。
【００２３】
上記凸状表示部２２ｄは、カメラの型番やタイプ名や焦点距離，Ｆナンバー等を表示する表示部であって、外側に向けてエンボス加工された後、その表面は、ダイヤモンドカッターによる鏡面加工がなされる。
【００２４】
上記外装円筒部材２２は、前カバー１に固着された前カバー円筒部材２１の前方突出部の外周面２１ｃに嵌入され、被係止穴２２ｂに爪部１ｂを係止させて光軸Ｏ方向と回転方向が位置決めされ、保持される。さらに、最終的に前カバー円筒部材２１の外周面２１ｃと接着し、固着状態とする。
【００２５】
上記係止部カバー２３は、上方に切り欠き部を有する可撓性（弾性変形可能）のＣ型形状の部材である。この係止部カバー２３は、上記前カバー１の外装円筒部材２２との係合部である爪部１ｂまわりを覆うように上記切り欠き部を広げながら前カバー１の突出円環部１ａの外周に嵌め込む。嵌め込み後、皿ビス３３を係止部カバー２３のビス挿通穴２３ａに挿通させ、前カバー１のビス穴１ｃに螺着し、係止部カバー２３を前カバー１に固定する。
【００２６】
上述した構成を有する本実装形態のカメラにおいて、カメラの前カバー１には、前方に突出して配置される前カバー円筒部材２１が組み付けられ、その内部にレンズ鏡筒ユニット１３が収納される。さらに、他のカメラ構成部材も組み込まれ、カメラとして完成した組み立て状態とする。そのカメラ組み立て状態で外装円筒部材２２を前カバー円筒部材２１の前方突出部に前方側から嵌入し、前カバー１の爪部１ａで係止し、装着状態とする。さらに、係止部カバー２３を外装円筒部材２２の係止部まわりに嵌め込み、装着する。この状態で前カバー円筒部材２１の前方突出部は、外装円筒部材２２で覆われ、さらに、外装円筒部材２２のの係止部まわりも係止部カバー２３によって覆われた状態となる。
【００２７】
上述した本実施形態のカメラによれば、上記前カバー円筒部材２１は、内部に隠されるのでその表面にパーティングラインがあってもよく、側方型割の金型を利用してストレートの円筒形状とすることができる。同時に、外装円筒部材２２は、金属製の円環のプレス加工品であることからストレートの円筒部材とすることが極めて容易であって、外観のデザイン上の規制が減る。また、係止部カバー２３の装着も係止部カバー２３を撓めながら装着することができるので係止部カバー２３の形状も簡単になり、また、組み付け作業も容易である。
【００２８】
また、上記外装円筒部材２２は、カメラの各構成部材が組み込まれた組み立ての最終段階の状態で装着されることから、該当するカメラのタイプ、あるいは、仕向先に対応する凸状表示部２２ｄが付された外装円筒部材２２を選択して装着することができる。したがって、多くの機種の生産に対しては、該当する凸状表示部のある複数の外装円筒部材２２を準備すればよく、在庫管理が簡素化される。
【００２９】
さらに、外装円筒部材２２の接着前の状態であれば、ビスを外して係止部カバー２３を外せば、外装円筒部材２２を簡単に付け替えることができるだけではなく、剥離可能な接着剤を用いたり、接着剤を用いずに爪部とビス部による固定のみとすれば、完成後の修理や交換も容易である。
【００３０】
【発明の効果】
上述のように本発明によれば、カメラのレンズ鏡筒部まわりを覆う部分の外観部のデザイン上の制限が少なく、カメラの外装部の金属化も可能となる。
【図面の簡単な説明】
【図１】本発明の一実装形態であるカメラの外観を示す斜視図である。
【図２】上記図１のカメラの特にレンズ鏡筒ユニットまわりの外装部の分解斜視図である。
【図３】上記図１のカメラのレンズ鏡筒ユニットまわりの縦断面図である。
【図４】上記図１のカメラのレンズ鏡筒ユニットまわりの水平断面図である。
【符号の説明】
１　…前カバー
（略箱形状の第２の部材，
カメラ前側外装部）
１ｄ…ストロボ収納部
１３　…レンズ鏡筒ユニット（撮影レンズ鏡筒）
２１　…前カバー円筒部材
（円筒形状の第１の部材，
カメラ前側外装部）
２１ｄ…フランジ部（フランジ形状結合部）
２２　…外装円筒部材
（第３の部材，カメラ前側外装部）
【図１】
2004012532.tif 000003
【図２】
2004012532.tif 000004
【図３】
2004012532.tif 000005
【図４】
2004012532.tif 000006